【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
投影光源を有し、角膜形状を測定するための測定指標を被検眼角膜に投影する投影光学系と、
撮像素子を有し、前記測定指標による角膜反射像及び前眼部像を撮像する撮像光学系と、
を備え、被検者眼の角膜形状を測定する角膜形状測定装置において、
被検眼の前眼部を可視光にて照明する可視照明光学系と、
前記撮像素子から出力される画像信号に基づいて前記投影光学系による角膜反射像と前記可視照明光学系による前眼部画像とを記憶する記憶手段と、
前記記憶手段に記憶された前記角膜反射像に基づいて被検眼角膜の乱視軸方向を算出する算出手段と、
前記算出手段による算出結果と，前記記憶手段に記憶された前記前眼部画像と，に基づいて、該前眼部画像に対する乱視軸方向の位置情報を示す前眼部データを作成する画像処理手段と、
前記画像処理手段によって作成された前記前眼部データを出力する出力手段と、
を備えることを特徴とする角膜形状測定装置。
【請求項２】
請求項１の角膜形状測定装置において、
前記可視照明光学系及び前記撮像光学系は、緑色帯に中心波長を持つ波長特性の前眼部反射光が前記撮像素子に受光されるように構成されていることを特徴とする角膜形状測定装置。
【請求項３】
請求項１又は２の角膜形状測定装置において、
前記画像処理手段は、前記記憶手段に記憶された前記前眼部画像に乱視軸方向を示す乱視軸指標を重ね合わせ処理して前記前眼部データを作成することを特徴とする角膜形状測定装置。
【請求項４】
請求項１〜３のいずれかの角膜形状測定装置において、
前記可視照明光学系は、眼内レンズ手術用の角膜マーキングを撮影するために被検眼の前眼部を可視光にて照明し、
前記記憶手段は、前記撮像素子から出力される画像信号に基づいて前記投影光学系による角膜反射像と前記可視照明光学系による前記角膜マーキングを含む前眼部画像とを記憶することを特徴とする角膜形状測定装置。
【請求項５】
請求項４の角膜形状測定装置において、
前記画像処理手段は、さらに、前記角膜マーキングと前記乱視軸方向との間の角度を判断するための角度情報を前記前眼部画像に重ね合わせ処理して、前記前眼部データを作成することを特徴とする角膜形状測定装置。
【請求項６】
請求項５の角膜形状測定装置において、
前記可視照明光学系及び前記撮像光学系は、前記角膜マーキングに使用されるインク色に対して補色関係にある波長特性の前眼部反射光が前記撮像素子に受光されるように構成されていることを特徴とする角膜形状測定装置。
【請求項７】
請求項６の角膜形状測定装置において、
前記可視照明光学系及び前記撮像光学系は、λ＝５００〜６００ｎｍの間に中心波長を持つ波長特性の前眼部反射光が前記撮像素子に受光されるように構成されていることを特徴とする角膜形状測定装置。
【請求項８】
請求項７の角膜形状測定装置において、
前記記憶手段に記憶された前眼部画像における角膜マーキングの位置を画像処理により検出する角膜マーキング検出手段を備え、
前記画像処理手段は、該角膜マーキング検出手段の検出結果に基づいて，前記角膜マーキングに対応するラインを基準軸として前記前眼部画像に重ね合わせ処理して、前記前眼部データを作成することを特徴とする角膜形状測定装置。
【請求項９】
請求項７の角膜形状測定装置において、
前記画像処理手段は、前記角膜マーキング検出手段の検出結果に基づいて前記角膜マーキングと前記乱視軸方向との間の角度を算出し、算出結果を前記前眼部画像に重ね合わせ処理して、前記前眼部データを作成することを特徴とする角膜形状測定装置。
【請求項１０】
請求項７の角膜形状測定装置において、
前記投影光源及び可視光源を同時点灯し、前記角膜反射像と前記角膜マーキングとを含む前眼部像を前記撮像素子に撮像させる制御手段を備えることを特徴とする角膜形状測定装置。
【請求項１１】
請求項１〜１０のいずれかの角膜形状測定装置において、
前記可視照明光学系は、前記投影光源とは異なる光源を備えることを特徴とする角膜形状測定装置。
【請求項１２】
請求項１〜１１のいずれかの角膜形状測定装置において、
被検眼を固視させるための固視標投影光学系と、
第２の眼特性を測定するための第２の光源を有し，被検者眼に第２の測定光を投光しその反射光を受光する測定光学系と、
前記固視標投影光学系の光及び前記測定光学系の光と，前記可視照明光学系の光と，を波長分離し、該可視照明光学系による前眼部からの反射光を前記撮像素子へ導くダイクロイックミラーと、
を備えることを特徴とする角膜形状測定装置。
【手続補正２】
【補正対象書類名】明細書
【補正対象項目名】０００８
【補正方法】変更
【補正の内容】
【０００８】
（１）  投影光源を有し、角膜形状を測定するための測定指標を被検眼角膜に投影する投影光学系と、撮像素子を有し、前記測定指標による角膜反射像及び前眼部像を撮像する撮像光学系と、を備え、被検者眼の角膜形状を測定する角膜形状測定装置において、被検眼の前眼部を可視光にて照明する可視照明光学系と、前記撮像素子から出力される画像信号に基づいて前記投影光学系による角膜反射像と前記可視照明光学系による前眼部画像とを記憶する記憶手段と、前記記憶手段に記憶された前記角膜反射像に基づいて被検眼角膜の乱視軸方向を算出する算出手段と、前記算出手段による算出結果と，前記記憶手段に記憶された前記前眼部画像と，に基づいて、該前眼部画像に対する乱視軸方向の位置情報を示す前眼部データを作成する画像処理手段と、前記画像処理手段によって作成された前記前眼部データを出力する出力手段と、を備えることを特徴とする。
（２）  （１）の角膜形状測定装置において、前記可視照明光学系及び前記撮像光学系は、緑色帯に中心波長を持つ波長特性の前眼部反射光が前記撮像素子に受光されるように構成されていることを特徴とする。
（３）  （１）又は（２）の角膜形状測定装置において、
前記画像処理手段は、前記記憶手段に記憶された前記前眼部画像に乱視軸方向を示す乱視軸指標を重ね合わせ処理して前記前眼部データを作成することを特徴とする。
（４）  （１）〜（３）のいずれかの角膜形状測定装置において、前記可視照明光学系は、眼内レンズ手術用の角膜マーキングを撮影するために被検眼の前眼部を可視光にて照明し、前記記憶手段は、前記撮像素子から出力される画像信号に基づいて前記投影光学系による角膜反射像と前記可視照明光学系による前記角膜マーキングを含む前眼部画像とを記憶することを特徴とする。
（５）  （４）の角膜形状測定装置において、前記画像処理手段は、さらに、前記角膜マーキングと前記乱視軸方向との間の角度を判断するための角度情報を前記前眼部画像に重ね合わせ処理して、前記前眼部データを作成することを特徴とする。
（６）  （５）の角膜形状測定装置において、前記可視照明光学系及び前記撮像光学系は、前記角膜マーキングに使用されるインク色に対して補色関係にある波長特性の前眼部反射光が前記撮像素子に受光されるように構成されていることを特徴とする。
（７）  （６）の角膜形状測定装置において、前記可視照明光学系及び前記撮像光学系は、λ＝５００〜６００ｎｍの間に中心波長を持つ波長特性の前眼部反射光が前記撮像素子に受光されるように構成されていることを特徴とする。
（８）  （７）の角膜形状測定装置において、前記記憶手段に記憶された前眼部画像における角膜マーキングの位置を画像処理により検出する角膜マーキング検出手段を備え、前記画像処理手段は、該角膜マーキング検出手段の検出結果に基づいて，前記角膜マーキングに対応するラインを基準軸として前記前眼部画像に重ね合わせ処理して、前記前眼部データを作成することを特徴とする。
（９）  （７）の角膜形状測定装置において、前記画像処理手段は、前記角膜マーキング検出手段の検出結果に基づいて前記角膜マーキングと前記乱視軸方向との間の角度を算出し、算出結果を前記前眼部画像に重ね合わせ処理して、前記前眼部データを作成することを特徴とする。
（１０）  （７）の角膜形状測定装置において、前記投影光源及び可視光源を同時点灯し、前記角膜反射像と前記角膜マーキングとを含む前眼部像を前記撮像素子に撮像させる制御手段を備えることを特徴とする。
（１１）  （１）〜（１０）のいずれかの角膜形状測定装置において、前記可視照明光学系は、前記投影光源とは異なる光源を備えることを特徴とする。
（１２）  （１）〜（１１）のいずれかの角膜形状測定装置において、被検眼を固視させるための固視標投影光学系と、第２の眼特性を測定するための第２の光源を有し，被検者眼に第２の測定光を投光しその反射光を受光する測定光学系と、前記固視標投影光学系の光及び前記測定光学系の光と，前記可視照明光学系の光と，を波長分離し、該可視照明光学系による前眼部からの反射光を前記撮像素子へ導くダイクロイックミラーと、を備えることを特徴とする。